(57)【要約】【課題】  病傷人を搬送するとき従来の担架より少人数で車輪により安易簡単に極度の疲労もなく搬送出来、階段も担架を水平に保持した状態でフレームの一部を階段の角にスライドさせて昇降させる車輪付三角フレーム担架を提供する。【解決手段】  パイプ又は形材で直角三角形を形成しその最短辺部に車輪を設けて、車輪付三角フレームを作り、このフレームを担架の巾を隔てゝ左右に対峙させ、左右のフレームの長辺の両端を二ツ折れ前、後軸で連結し、直角部附近を横軸で連結し、上方の左右長辺の間にキャンバスシートを張設した車輪付き担架。【選択図】図１
2007082996.tif 000002
【特許請求の範囲】
【請求項１】
（イ）略９０度、６０度、３０度の内角を有する略直角三角形状の枠体（Ａ）を形成し、上辺を上軸（１）、底辺を下軸（２）、上辺と下辺の中間を支軸（３）とし、一対の枠体（Ａ）を左右に対向して設け、内角３０度を有する方向を前方とし、前方を前軸（４）および後方を後軸（５）、支軸（３）の下方を横軸（６）で、各々を左右橋架して連設する。
（ロ）前軸（４）及び後軸（５）は中央を、蝶番（９）を介して一方向に曲折自在に設ける。
（ハ）横軸（６）は一端を支軸（３）から離脱自在に設けられ、他端を支点に半回転自在になる。
（ニ）支軸（３）の下部に取付金具（１４）を介して車輪（１６）を設け、車輪（１６）の下端は、下軸（２）の延伸線よりやや上方に位置させる。
（ホ）上軸（１）と下軸（２）の前方に設けた補助軸（１７）に、スタンド（１９）を倒立自在に設ける。
（ヘ）タンカ布（２１）を、上軸（１）の上面に張設する。
以上の構成よりなる車輪付きタンカ。
【発明の詳細な説明】
【技術分野】
【０００１】  本発明は、通常複数人の人力で持ち上げて、運搬している担架を、１人で運搬可能とし、平坦地では車輪に又階段の上り下りではフレームの下軸に荷重を分担させて、運搬する車輪付き担架である。
【背景技術】
【０００２】（イ）従来、担架に人（病傷人）を乗せて運搬するときは、複数の人の人力に頼る以外に方法がなかった
（ロ）病院内で使用する寝台運搬車や救急自動車に積載されている病傷人運搬具は、夫々用途が限定されていて、一般に使用するには適当でなかった。
【発明の開示】
【発明が解決しようとする課題】
【０００３】（イ）従来、担架での運搬には、複数の人員が集まらないと運搬出来なかった。
（ロ）人員が集っても担架を持ち上げて搬送するため、疲労が激しく長距離の運搬が出来なかった。
（ハ）担架を担ぐ人の意気が合はないとバランスを失い歩行出来なくなり、或は担架上の病傷人を転落させる結果を招くことがあった。
（ニ）従来あるものは、昔ながらのリヤカー上に担架を乗せリヤカーを引っぱるものであった。
リヤカーのため重量が重く、又格納に不都合があった。
【課題を解決するための手段】
【０００４】（イ）略９０度、６０度、３０度の内角を有する略直角二角形状の枠体（Ａ）を形成し、９０°の対辺を上軸（１）、内角６０°の対辺を下軸（２）、内角３０°の対辺を支軸（３）とし、一対の枠体（Ａ）を左右に対向して設け、内角３０°を有する方向を前方とし、前方を前軸（４）および後方を後軸（５）、支軸（３）の下方を横軸（６）で、各々を橋架して連設する。
（ロ）前軸（４）及び後軸（５）は中央を、蝶番（９）を介して一方向に曲折自在に設ける。
（ハ）横軸（６）は一端を支軸（３）から離脱自在に設け、他端を支点に半回転自在になる。
（ニ）支軸（３）の下部に取付金具（１４）を介して車輪（１６）を設け、車輪（１６）の下端は、下軸（２）の延伸線よりやや上方に位置させる。
（ホ）上軸（１）と下軸（２）の前方に設けた補助軸（１７）に、スタンド（１９）を倒立自在に設ける。
（ヘ）タンカ布（２１）を、上軸（１）の上面に張設する。
以上の構成よりなる車輪付きタンカである。
【発明の効果】
【０００５】（イ）本発明は病傷人を担架で搬送するとき複数の人員がそろわなくても、１人でも搬送することが出来る。
（ロ）平坦地では、車輪に荷重を分担させるから搬送する人の疲労が軽減される。
（ハ）複数人で担架を担がないので、前後、左右のバランスが崩れ運搬すべき病傷人を転落させることが無い。
（ニ）階段の昇降時には、６０°の対辺（２）下軸を階段の角にスライドさせて昇降出来るので労力が極端に軽減される
【発明を実施するための最良の形態】
【０００６】  以下、本発明の実施の形態を図１及び図２について説明する。
（イ）、パイプ又は軸状の型材で９０度、６０度、３０度の内角を有する略直角三角形状の枠体（Ａ）を形成し、上辺を上軸（１）、底辺を下軸（２）、上辺と下辺の中間を支軸（３）とする。
（ロ）、２個の枠体（Ａ）を相対向して設け、内角３０度を有する方向を前方とし、支軸（３）の方向を後方とする。
（ハ）、２個の枠体（Ａ）の各上軸（１）は、前方を前軸（４）および後方を後軸（５）、支軸（３）の下方を横軸（６）で、各々を橋架して連設する。
（ニ）、前軸（４）は、中央を切り欠き部（７ａ）とし、該切り欠き部（７ａ）を断面コの字状の金具（８ａ）で覆うことによる蝶番（９ａ）を介して、一方向に曲折自在に設けられる。
（ホ）、前軸（４）の両端は、上軸（１）、に被覆金具（１０ａ）を介して半回転自在に連設される。
（ヘ）、後軸（５）は、中央を切り欠き部（７ｂ）とし、該切り欠き部（７ｂ）を断面コの字状の金具（８ｂ）で覆うことによる蝶番（９ｂ）を介して、一方向に曲折自在に設けられる。
（ト）、後軸（５）の両端は、上軸（１）に被覆金具（１０ｂ）を介して半回転自在に連設される。
（チ）、支軸（３）の下部に小穴（１２）を有するＬ字金具（１１）を設け、ピン（１３）を横軸（６）の両端に挿入自在に差込み、該ピン（１３）はＬ字金具（１１）の小穴（１２）に挿入自在に差し込むことにより、横軸（６）は支軸（３）に橋架される。このとき横軸（６）は一端のピン（１３）を外すことにより半回転自在になる。
（リ）、支軸（３）の下部に取付金具（１４）の軸穴（１５）車輪（１６）の中心軸を通して車輪（１６）を回転自在に取り付ける。車輪（１６）の下端は、下軸（２）の延伸線よりやや上方に位置させる。
（ヌ）、上軸（１）と下軸（２）の前方に補助軸（１７）を橋架する。
（ル）、補助軸（１７）に台板（１８）設け、スタンド（１９）をバネ（２０）を介して倒立自在に設ける。
（ヲ）、タンカ布（２１）を、上軸（１）の上面に張設する。
本発明は以上の構成よりなる。本発明を使用するときは、タンカ布（２１）の上に患者を載せ、上軸（１）の前方を１人又は２人で持ち、引く。後方は車輪（１６）の回転により前進する。このとき、スタンド（１９）は横方向に倒しておく。
階段等の傾斜面は、下軸（２）が３０度の傾斜を有しているので、下軸（２）が階段を滑降しながら降ろしたり引き上げたりできる。車輪（１６）の下端は、下軸（２）の上方に位置しているために、階段上の上り下がりの支障にならない。
なお、本発明を運搬するときは、前軸（４）及び後軸（５）は蝶番（９）により中央より曲折可能であり、横軸（６）は一端のピン（１３）を抜くことにより半回転し、本発明を縦半分に折りたたみ、縮小して運搬することができる。
また、スタンド（１９）はバネ（２０）を介して倒立自在であるために、一時的に本発明を置く場合は、スタンド（２０）を立てておくことができる。
【図面の簡単な説明】
【０００７】
【図１】本発明の全体の斜視図である。
【図２】本発明の要部の斜視図である。
【図３】本発明の前後軸の斜視図である。
【図４】本発明の横軸の斜視図である
【図５】本発明のスタンドの斜視図である
【図６】本発明の取付金具の斜視図である。
【符号の説明】
【０００８】（１）、上軸
（２）、下軸
（３）、支軸
（４）、前軸
（５）、後軸
（６）、横軸
（７ａ）、切り欠き部
（７ｂ）、切り欠き部
（８ａ）、金具
（８ｂ）、金具
（９ａ）、蝶番
（９ｂ）、蝶番
（１０ａ）、被覆金具
（１０ｂ）、被覆金具
（１１）、Ｌ字金具
（１２）、小穴
（１３）、ピン
（１４）、取付金具
（１５）、軸穴
（１６）、車輪
（１７）、補助軸
（１８）、台版
（１９）、スタンド
（２０）、バネ
（２１）、タンカ布
【図１】
2007082996.tif 000003
【図２】
2007082996.tif 000004
【図３】
2007082996.tif 000005
【図４】
2007082996.tif 000006
【図５】
2007082996.tif 000007
【図６】
2007082996.tif 000008